(57)【要約】【課題】  従来、紫外線照射ランプの熱によって基板が反ったり歪んだりしていた。【解決手段】  紫外線硬化樹脂を塗布したワークに、紫外線照射ランプの光を光伝送路により伝送して照射して、前記ランプの熱がワークに伝わらないようにした紫外線硬化樹脂乾燥方法。紫外線照射ランプと、前記ランプの光を伝送してワークに伝える光伝送路とを備え、前記ランプは、その熱がワークに伝わらないようにワークと遮蔽して又は離して備えた紫外線硬化樹脂乾燥装置。また、前記装置において、ワークを搬送する搬送体を備え、光伝送路の出射端を前記搬送体に搬送されるワークに向けて配置し、光伝送路の出射端から出射される紫外光を搬送体に搬送されるワークに照射可能とした。また、光伝送路の出射端を前記搬送体に搬送されるワークに向けて、一本の光伝送路を備え、又は二本以上の光伝送路を搬送体の幅方向に配列して備えた。【選択図】図１
2005238073.tif 000002
【特許請求の範囲】
【請求項１】
紫外線硬化樹脂を塗布したワークに、紫外線照射ランプの光を光伝送路により伝送して照射して、前記紫外線照射ランプの熱がワークに伝わらないようにしたことを特徴とする紫外線硬化樹脂乾燥方法。
【請求項２】
紫外線照射ランプと、前記紫外線照射ランプの光を伝送してワークに伝える光伝送路とを備え、前記紫外線照射ランプは、その熱がワークに伝わらないようにワークと遮蔽して又は離して備えたことを特徴とする紫外線硬化樹脂乾燥装置。
【請求項３】
請求項２記載の紫外線硬化樹脂乾燥装置において、ワークを搬送する搬送体を備え、光伝送路の出射端を前記搬送体に搬送されるワークに向けて配置し、光伝送路の出射端から出射される紫外光を搬送体に搬送されるワークに照射可能としたことを特徴とする紫外線硬化樹脂乾燥装置。
【請求項４】
請求項２又は請求項３記載の紫外線硬化樹脂乾燥装置において、光伝送路の出射端を前記搬送体に搬送されるワークに向けて、一本の光伝送路を備え、又は二本以上の光伝送路を搬送体の幅方向に配列して備えたことを特徴とする紫外線硬化樹脂乾燥装置。
【発明の詳細な説明】
【技術分野】
【０００１】
本発明は、回路基板等の各種ワークに塗布した紫外線硬化樹脂を硬化乾燥させる乾燥方法及び乾燥装置に関するものである。
【背景技術】
【０００２】
紫外線硬化樹脂（通称「ＵＶ塗料」）は、紫外線を照射することによって塗膜が硬化乾燥する塗料であって、従来例えば回路基板等にも、基板の表面保護等の目的で塗布されている。従来、基板に塗布した紫外線硬化樹脂を乾燥させるためには、紫外線照射ランプ（通称「ＵＶランプ」）の光を直接回路基板等に照射して、塗膜を硬化乾燥させている。
【発明の開示】
【発明が解決しようとする課題】
【０００３】
しかし、従来の紫外線硬化樹脂乾燥方法には次のような課題がある。
（１）紫外線照射ランプの光を直接基板に照射していたため、紫外線照射ランプから発せられる熱によって、基板の温度が１００度を越え、基板が反ったり歪んだりする場合がある。その場合、基板の反りや歪みを修正するには、専用の装置が必要であって、手間やコストがかかっている。
（２）また、回路パターンを備える積層基板等の場合、熱によって回路パターンが断線する場合もある。
【課題を解決するための手段】
【０００４】
本発明は、上記課題を解決し、光源と熱源とを離して紫外光を照射可能であって、ワークの反りや歪みや回路パターンの断線等の発生を防止することが可能な紫外線硬化樹脂乾燥方法及び紫外線硬化樹脂乾燥装置を提供するものである。
【０００５】
本件出願の紫外線硬化樹脂乾燥方法は、紫外線硬化樹脂を塗布したワークに、紫外線照射ランプの光を光伝送路により伝送して照射して、前記紫外線照射ランプの熱がワークに伝わらないようにしたものである。
【０００６】
本件出願の紫外線硬化樹脂乾燥装置は、紫外線照射ランプと、前記紫外線照射ランプの光を伝送してワークに伝える光伝送路とを備え、前記紫外線照射ランプは、その熱がワークに伝わらないようにワークと遮蔽して又は離して備えている。また、前記紫外線硬化樹脂乾燥装置において、ワークを搬送する搬送体を備え、光伝送路の出射端を前記搬送体に搬送されるワークに向けて配置し、光伝送路の出射端から出射される紫外光を搬送体に搬送されるワークに照射可能としている。また、光伝送路の出射端を前記搬送体に搬送されるワークに向けて、一本の光伝送路を備え、又は二本以上の光伝送路を搬送体の幅方向に配列して備えている。
【発明の効果】
【０００７】
本件出願の請求項１に記載の紫外線硬化樹脂乾燥方法には、次のような効果がある。
（１）紫外線硬化樹脂を塗布したワークに、紫外線照射ランプの光を光伝送路により伝送して照射して、前記紫外線照射ランプの熱がワークに伝わらないようにしたため、ワークの反りや歪みの発生を防止することができる。また、回路パターンを備える積層基板等の場合も、回路パターンの断線を防止することができる。
（２）光伝送路を変形させて備えれば、ワークの正面以外からでも紫外光を照射することができる。
【０００８】
本件出願の請求項２に記載の紫外線硬化樹脂乾燥装置には、次のような効果がある。
（１）紫外線照射ランプと、前記紫外線照射ランプの光を伝送してワークに伝える光伝送路とを備え、前記紫外線照射ランプは、その熱がワークに伝わらないようにワークと遮蔽して又は離して備えたので、ワークの反りや歪みの発生を防止することができる。また、回路パターンを備える積層基板等の場合も、回路パターンの断線を防止することができる。
（２）光伝送路を変形させて備えれば、ワークの正面以外からでも紫外光を照射することができる。
【０００９】
本件出願の請求項３に記載の紫外線硬化樹脂乾燥装置には、前記効果の他、次のような効果がある。
（１）ワークを搬送する搬送体を備え、光伝送路の出射端を前記搬送体に搬送されるワークに向けて配置し、光伝送路の出射端から出射される紫外光を搬送体に搬送されるワークに照射可能としたので、塗膜の乾燥工程を流れ作業で行うことができ、作業効率が向上する。
【００１０】
本件出願の請求項４に記載の紫外線硬化樹脂乾燥装置には、前記効果の他、次のような効果がある。
（１）光伝送路の出射端を前記搬送体に搬送されるワークに向けて、一本の光伝送路を備え、又は二本以上の光伝送路を搬送体の幅方向に配列して備えたので、ワークに万遍無く紫外光を照射できる。
【発明を実施するための最良の形態】
【００１１】
（実施形態１）
本発明の紫外線硬化樹脂乾燥方法及び紫外線硬化樹脂乾燥装置の実施形態の一例を、図面に基づいて詳細に説明する。
本発明の紫外線硬化樹脂乾燥方法は、図１に示すような紫外線硬化樹脂乾燥装置を用いて実施することができる。本発明の紫外線硬化樹脂乾燥装置は、図１に示すように、搬送体１の上方に、紫外線照射ランプ２と、光伝送路３と、遮蔽板４とを備えてなる。前記紫外線照射ランプ２と、光伝送路３と、遮蔽板４とは、別個の又は一つの支持体（図示しない）によって夫々保持されている。
【００１２】
前記搬送体１は、ベルトコンベアやローラーコンベア等であって、図１に示すように、その上にワーク５を載せて搬送することができるものである。搬送体１は、物品の製造工程の一部分としてのベルトコンベアやローラーコンベア等であってもよい。前記ワーク５は、樹脂製やガラス製等の、任意の素材による電子回路用の基板や、光ディスク用の基板等、任意の部材とすることができる。
【００１３】
前記紫外線照射ランプ２は、紫外光を照射可能なランプであって、図１に示すように、搬送体１の上方に設置されている。紫外線照射ランプ２には、紫外線硬化樹脂を確実に乾燥させられるものであれば、任意の照度のものを用いることが可能である。
【００１４】
前記光伝送路３は、図１に示すように、搬送体１と紫外線照射ランプ２との間に備えられている。光伝送路３には、光ファイバや、ガラスや、樹脂等、光を伝送可能であれば任意の部材及び任意の構造のものを使用することができる。また、光伝送路３は、その外面を、樹脂等の可撓性を有する部材で被覆しておくことが望ましい。光伝送路３は、上端を前記紫外線照射ランプ２の紫外線照射部６の直下に、下端を搬送体１の直上に、搬送体１上を搬送されるワーク５に向けて一本のみ備えられており、紫外線照射ランプ２の光を、この光伝送路３を介してワーク５に照射できるようにしてある。本実施形態では、光伝送路３は一本でワーク５に塗布された紫外線硬化樹脂を硬化させる範囲を照明可能な径のものが用いられている。なお、光伝送路３の長さは任意の長さとすることができる。
【００１５】
前記遮蔽板４は、図１に示す板材であって、搬送体１と紫外線照射ランプ２との間を遮蔽させて備えられている。遮蔽板４には、前記光伝送路３を挿通可能な挿通穴７が開口され、光伝送路３を貫通させて備えている。遮蔽板４には遮光性及び断熱性を有する板材が用いられている。従って、前記紫外線照射ランプ２から発せられる熱は搬送体１上のワーク５には伝わらず、ワーク５には、光伝送路３を通じて紫外光のみが照射されるようにしてある。
【００１６】
本実施形態の紫外線硬化樹脂乾燥装置では、紫外線照射ランプ２と搬送体１とが、紫外線照射ランプ２から発せられる熱が搬送体１上のワーク５に伝わらないように十分に離して設置されている場合には、遮蔽板４を設置しないことも可能である。その場合、光伝送路３は、上端を前記紫外線照射ランプ２の紫外線照射部６の直下に、下端を搬送体１の直上に、搬送体１上を搬送されるワーク５に向けて備えられる程度の長さのものを用いる。
【００１７】
（実施形態２）
本発明の紫外線硬化樹脂乾燥方法及び紫外線硬化樹脂乾燥装置の実施形態の他の一例を、図面に基づいて詳細に説明する。
本実施形態の紫外線硬化樹脂乾燥装置も、搬送体１の上方に、紫外線照射ランプ２と、光伝送路３と、遮蔽板４とを備えてなる点については前記実施形態１記載の紫外線硬化樹脂乾燥装置と共通するが、図２、３に示すように、光伝送路３の構成において、前記実施形態１とは異なる。
【００１８】
本実施形態の紫外線硬化樹脂乾燥装置は、図２に示すように、多数本の光伝送路３を、搬送体１上に、移送方向に直交する向きで一列に相互に間隔を開けずに並べて設置されている。従って、搬送体１上のワーク５に紫外光を万遍無く照射することができる。各光伝送路３には、同図に示すように、ワーク５の幅よりも小さい径のものが用いられている。各光伝送路３の上端部は、図３に示すように、端面を揃えて束ねられて、紫外線照射ランプ２の紫外線照射部６の直下に備えられている。また、同図に示すように、紫外線照射ランプ２には、内面を反射板等で形成した反射ケース８を取付けて各光伝送路３の上端部を収容し、紫外線照射ランプ２の光を各光伝送路３の上端部に十分に照射できるようにすることも可能である。
【００１９】
また、図４に示すように、多数本の光伝送路３を、搬送体１上に、移送方向に移送方向に直交する向きで、千鳥配列で相互に間隔を開けて並べて設置することも可能である。この構成によっても搬送体１上のワーク５に紫外光を万遍無く照射することができる。
【００２０】
また、本実施形態においても、前記実施形態１と同様に、紫外線照射ランプ２と搬送体１とが、紫外線照射ランプ２から発せられる熱が搬送体１上のワーク５に伝わらないように十分に離して設置されている場合には、遮蔽板４を設置しないことも可能である。その場合、各光伝送路３は、上端を前記紫外線照射ランプ２の紫外線照射部６の直下に、下端を搬送体１の直上に、搬送体１上を搬送されるワーク５に向けて備えられる程度の長さのものを用いる。
【００２１】
（その他の実施形態）
本発明の紫外線硬化樹脂乾燥装置は、ワークを搬送する搬送体を備えず、光伝送路を前後左右に揺動自在に備えて、ワークを動かさずに、光伝送路を前後左右に動かしてワークに紫外光を万遍無く照射するものとすることもできる。
【００２２】
紫外線照射ランプ及び光伝送路の設置位置は、前記各実施形態に示すような、搬送体の直上には限られず、任意の位置とすることができる。従って、例えば、紫外線照射ランプを搬送体の側方に設置し、光伝送路を曲げて、一端を紫外線照射ランプの紫外線照射部に、他端を搬送体の直上に、搬送体上を搬送されるワークに向けて備えること等も可能である。
【００２３】
光伝送路の本数や径の大きさや配置等は、前記各実施形態に記載のものには限られず、任意の本数や径の大きさや配置等とすることができる。また、紫外線照射ランプの設置台数も、一台には限られず、二台以上とすることも可能である。
【産業上の利用可能性】
【００２４】
本発明の紫外線硬化樹脂乾燥方法及び紫外線硬化樹脂乾燥装置は、紫外線硬化樹脂の乾燥の他にも、他の塗料の乾燥や水分除去等にも応用することができる。
【図面の簡単な説明】
【００２５】
【図１】本発明の紫外線硬化樹脂乾燥装置の実施形態の一例を示す側面説明図。
【図２】本発明の紫外線硬化樹脂乾燥装置の実施形態の他の例を示す平面説明図。
【図３】図２に示す紫外線硬化樹脂乾燥装置の紫外線照射ランプ部を示す側面説明図。
【図４】本発明の紫外線硬化樹脂乾燥装置の実施形態の他の例を示す平面説明図。
【符号の説明】
【００２６】
１  搬送体
２  紫外線
３  光伝送路
４  遮蔽板
５  ワーク
【図１】
2005238073.tif 000003
【図２】
2005238073.tif 000004
【図３】
2005238073.tif 000005
【図４】
2005238073.tif 000006